(57)【特許請求の範囲】
【請求項１】
被検者の診断画像を計測するための操作手段と、操作者が前記操作手段で設定した計測結果および前記計測を行った計測時刻を記録するための記録手段と、前記計測時刻と前記計測結果を管理する演算手段と、前記診断画像および操作者が計測した前記計測結果と各計測を行った前記計測時刻とを対応づけて一覧表示することができる表示手段と
を備える超音波診断装置。
【請求項２】
前記操作者が設定した消去時刻以前の計測結果を選択的に消去する手段を備えることを特徴とする請求項１記載の超音波診断装置。
【請求項３】
前記消去時刻は、予め設定された消去時間間隔と、各計測時刻から演算された計測時刻の間隔とに基づいて、自動的に設定されることを特徴とする請求項２記載の超音波診断装置。
【請求項４】
前記消去手段は、予め設定された消去時間間隔と、各計測時刻から演算された計測時刻の間隔とに基づいて、前記計測結果を自動的に消去することを特徴とする請求項２記載の超音波診断装置。
【発明の詳細な説明】
【０００１】
【発明の属する技術分野】
本発明は、プログラムにより計測結果を自動的に消去する機能を有する超音波診断装置に関する。
【０００２】
【従来の技術】
従来、計測結果と患者ＩＤを関連づける超音波診断装置は特開平７-１６３５５７号に記載されたものが知られている。図８に、従来の計測結果と患者ＩＤを関連づける超音波診断装置の構成を示しており、この超音波診断装置は、生体に対し超音波を送受信し、得られたエコーデータに基づいて超音波画像を表示する超音波診断装置であって、患者ＩＤを入力する入力装置８と、前記超音波画像と共に、前記超音波画像を基に計測された計測結果と前記超音波画像を得た際の検査条件とのうち少なくとも一方を患者情報として前記患者ＩＤに対応付けて記憶する患者情報記憶回路７と、この患者情報記憶回路７から前記患者ＩＤに対応した前記超音波画像と前記患者情報を読み出す制御回路５と、この制御回路５により読み出された超音波画像及び患者情報を表示する表示装置４により構成されている。
【０００３】
図８に示された超音波診断装置において、超音波探触子１は、駆動受信回路２で駆動され、超音波を生体に送波し、生体からのエコー信号を受信するようになっている。受信回路２は、前記超音波探触子１を駆動し、該超音波探触子で受信したエコー信号を増幅等して画像信号となし、これを画像メモリ回路３、及び必要に応じ制御回路５を介して計測回路６、患者情報記録回路７に出力するようになっている。画像メモリ回路３は、前記送受信回路２からの画像信号を記憶すると共にこれを表示装置４に出力し、また必要に応じて記憶されている画像を制御回路５を介し計測回路６に出力するようになっている。
【０００４】
表示装置４は、前記画像メモリ回路３からの画像信号により画像表示するようになっており、また、必要に応じ計測回路６による計測結果や患者情報記憶回路７に記憶されている必要データを表示するようになっている。表示装置４としては、具体的にはＴＶモニタを採用するが、その他種々の表示装置、記録機器を採用することができる。
【０００５】
制御回路５は、送受信回路２、画像メモリ回路３、計測回路６及び患者情報記憶回路７にそれぞれ接続され、これら送受信回路２、画像メモリ回路３、計測回路６及び患者情報記憶回路７をそれぞれ制御するようになっている。また、この制御回路５は後述する患者情報記憶回路７に記憶されている検査条件を必要に応じて読み出し、これに基づき同一のエコーフィルター特性等を自動的に設定できるようになっている。更にまたこの制御回路５は計測回路６の計測結果に基づき適宜のグラフ等を作成できるようになっている。計測回路６は、前記送受信回路２からの画像を計測し、その結果を制御回路５及び患者情報記録回路７に出力するようになっている。
【０００６】
患者情報記憶回路７は、患者ＩＤ並びにこの患者ＩＤに対応付けて患者名、計測結果及びエコーフィルター特性、ＳＴＣカーブ、ＧＡＩＮ、ＤｙｎａｍｉｃＲａｎｇｅ等の検査条件等の患者情報を記憶するようになっており、必要に応じ、これらの情報を読み出し、表示装置に表示できるようになっている。また、入力装置８は患者ＩＤを例えばキー入力するものである。
【０００７】
そして、以上のような装置は、患者の再検査時に入力装置８より患者ＩＤを入力すると、対応する患者名等のデータが患者情報記憶回路７から読み出され表示装置４に表示され、また過去の計測結果があるときはこれも読み出して表示装置４に表示できるようになっている。
【０００８】
【発明が解決しようとする課題】
しかしながら、上記従来の超音波診断装置においては、操作者が新しい患者の計測を行う際、患者IDを入力することが必要であり、患者IDを入力せず、次の被検者を計測した場合、計測結果が削除されず、異なる患者の計測結果が混在する問題を有していた。
【０００９】
本発明は、上記従来の問題を解決するもので、各計測結果と計測時刻を記録し、異なる被検者の計測結果が混在するのを防ぐ、優れた超音波診断装置を提供することを目的とする。
【００１０】
【課題を解決するための手段】
本発明の超音波診断装置は、被検者の診断画像を計測するための操作手段と、操作者が前記操作手段で設定した計測結果および計測を行った計測時刻を記録するための記録手段と、前記計測時刻と前記計測結果を管理する演算手段と、前記診断画像および操作者が計測した前記計測結果と各計測を行った前記計測時刻とを表示することができる表示手段とを備えている。
この構成により、計測を行う際、計測結果及び計測時刻双方を記録し、計測結果及び計測時刻を同時に管理でき、異なる被検者の計測結果が混在しているか否かを判断できる、優れた超音波診断装置が得られる。
【００１１】
また、上記超音波診断装置は、さらに、前記操作者が設定した消去時刻以前の計測結果を選択的に消去する手段を備えてもよい。
この構成により、各計測項目の計測時刻から、現在の患者に対する計測結果でない情報を削除できる。
【００１２】
また、前記消去時刻は、予め設定された消去時間間隔と、各計測時刻から演算された計測時刻の間隔とに基づいて、自動的に設定されてもよい。
この構成により、操作者が選択操作を行わずに、消去する計測結果を選択できる。
【００１３】
さらに、前記消去手段は、予め設定された消去時間間隔と、各計測時刻から演算された計測時刻の間隔とに基づいて、前記計測結果を自動的に消去してもよい。
この構成により、操作者が消去操作を行わずに、不要な計測結果を削除できる。
【００１４】
【発明の実施の形態】
以下、本発明の実施の形態について、図１から図７を用いて説明する。
【００１５】
図１は、本発明の超音波診断装置の第１の実施の形態のブロック図を示す。図１において、送信部１０２は、超音波を送信するための信号を生成する。超音波探触子１０１は、送信部１０２で生成された信号を超音波として披検体に送信し、反射した超音波を受信する。受信部１０３は、超音波探触子１０１で受信した超音波を受信信号に検波する。再生部１０４は、受信部１０３で検波した受信信号を超音波画像として再生する。制御部１０６は、送信部１０２、受信部１０３、再生部１０４、表示部１０５を制御する。操作部１０７は、表示部１０５に表示された診断画像を計測するための操作者からの入力を制御部１０６に伝える。時刻カウンタ１１０は現在時刻を常に計測する。計算式記録部１１１は、操作部１０７で設定した情報を、演算部１０８において計測結果に計算するための計算式を記録する。記録部１０９は、操作部１０７で設定した計測結果を記録すると同時に時刻カウンタ１１０からの計測時刻を記録する。演算部１０８は、計測結果と計測時刻を管理する。表示部１０５は、再生部１０４で再生された被検者の超音波画像を表示し、さらに、演算部１０８からの、計測結果と計測時刻を表示する。
【００１６】
以上のように構成された超音波診断装置について、図２を参照して、その動作を説明する。まず時刻カウンタ１１０は常に現在時刻を計算している。被験者に対し診断を行うため、送信部１０２より超音波を送信し、超音波探触子１０１を介して被験者に対し超音波を送受信する。超音波探触子１０１より受信した信号を受信部１０３を介し受信し再生部１０４において再生し表示部１０５において表示する（ステップ１）。再生部１０４において再生された診断画像に対し、操作者が操作部１０７を操作し、制御部に操作内容を送る。（制御部１０６は、計測操作の場合、計測情報を演算部１０８に送る。演算部１０８は、制御部１０６から送られた計測情報を元に、計算式記録部１１１より計算式を入力し、計算を実行し、計測結果を演算する（ステップ２）。演算部１０８は、計測結果を記録部１０９に記録すると同時に、時刻カウンタ１１０より計測時刻を入力し、記録部１０９に計測結果と対応づけて記録する（ステップ３）。ステップ２とステップ３を、必要な計測分繰り返す（ステップ４）。計測終了後、記録部１０９から、計測結果及び計測時刻を演算部１０８に入力し、演算部１０８は計測結果と計測時刻を一覧表示情報に変換して表示部１０５に入力する。一覧表示情報は表示部１０５において表示する（ステップ５）。図３に、ステップ５において表示する管理画面を示す。管理画面２００は計測結果と計測時刻を一覧表示している。
【００１７】
以上のように本発明の第１の実施の形態によれば、計測時に計測結果と共に計測時刻を保存し、計測結果と計測時刻を管理しているため、計測時刻から各計測毎に異なる被験者の計測結果が混在しているか否かの判断が可能となる。
【００１８】
図４は本発明の超音波診断装置の第２の実施の形態のブロック図を示す。図４において、計測結果消去操作部１１２は、操作者が消去する消去時刻を選択する。消去演算部１１３は、時刻カウンタ１１０から現在時刻を入力し、計測結果消去操作部１１２で操作者が選択した消去時刻と記録部１０９に保存した計測時刻を比較し、消去時刻以前に記録した計測結果及び計測時刻を記録部１０９から消去する。
【００１９】
以上のように構成された超音波診断装置について、図５を参照して、その動作を説明する。まず、第１の実施の形態のステップ１からステップ５までの手順で、計測結果と計測時刻を一覧表示する。操作者が消去処理を実施する場合は、操作部１０７を操作し、消去処理を選択する。消去処理を実施しない場合は終了する（ステップ６）。計測結果消去操作部１１２を操作し、消去時刻を入力する（ステップ７）。入力された消去時刻を消去演算部１１３に送る。記録部１０９に保存されている計測時刻を比較する。消去時刻より以前の計測時刻に対応する計測結果を消去する（ステップ８）。図６に、ステップ８において表示する管理画面を示す。管理画面２００において、計測結果と計測時刻を一覧表示し、消去時刻２０１を表示している。
【００２０】
以上のように本発明の第２の実施の形態によれば、計測結果と計測時刻を管理し、操作者が設定した消去時刻以前の計測結果を消去するため、被験者の計測結果の混在を防ぐことが可能となる。
【００２１】
なお、あらかじめ、記録部１０９に消去時間間隔を記録しておき、消去演算部１１３において、記録部１０９に保存されている各計測時刻について、前回計測時刻との差（すなわち計測時刻の間隔）をそれぞれ演算して、各計測時刻の間隔と消去時間間隔とを比較し、計測時刻の間隔が消去時間間隔より大きい場合、その計測時刻の前回の計測時刻を消去時刻として設定してもよい。図７は、記録部１０９において計測時刻と計測結果と共に、前回計測時刻との差（すなわち計測時刻の間隔）を記録している事を示している。この場合、操作者が消去時刻を操作することなく消去時刻を設定することが可能となる。
【００２２】
なお、あらかじめ、記録部１０９に消去時間間隔を記録しておき、消去演算部１１３において、記録部１０９に保存されている各計測時刻について、前回計測時刻との差（すなわち計測時刻の間隔）をそれぞれ演算して、各計測時刻の間隔と消去時間間隔とを比較し、計測時刻の間隔が消去時間間隔より大きい場合、その計測時刻の前回の計測時刻における計測結果を消去してもよい。この場合、操作者がステップ６からステップ８の消去操作を行わずに、異なる被験者の計測結果を消去することが可能となる。
【００２３】
なお、本発明による超音波診断装置の機能は、磁気ディスク、光磁気ディスク、ＩＣカード、ＰＤ、ＤＶＤ―ＲＡＭ、ＤＶＤ−ＲＯＭ、ＲＯＭ、ＲＡＭ等の記録媒体にプログラムとして記録することができる。よって、この記録媒体をコンピュータで読みとることにより、本発明による超音波診断装置の機能を実現することができる。
【００２４】
【発明の効果】
以上のように本発明の超音波診断装置は、被検者の診断画像を計測するための操作手段と、操作者が前記操作手段で設定した計測結果および計測を行った時刻を記録するための記録手段と、計測時刻と計測結果を管理する演算手段と、診断画像および操作者が計測した計測結果と各計測の計測時刻を表示するための表示手段とを備えている。したがって、本発明によれば、計測を行う際、計測結果及び計測時刻双方を記録し、計測結果及び計測時刻を同時に管理でき、異なる被検者の計測結果が混在しているか否かを判断できる、という効果が得られる。
【図面の簡単な説明】
【図１】本発明の第１の実施の形態における超音波診断装置の構成を示すブロック図
【図２】本発明の第１の実施の形態における超音波診断装置の動作説明のためのフロー図
【図３】本発明の第１の実施の形態における超音波診断装置の表示画面の一実施例を示す説明図
【図４】本発明の第２の実施の形態における超音波診断装置の構成を示すブロック図
【図５】本発明の第２の実施の形態における超音波診断装置の動作説明のためのフロー図
【図６】本発明の第２の実施の形態における超音波診断装置の表示画面の一実施例を示す説明図
【図７】本発明の第２の実施の形態における超音波診断装置の記録部の一実施例を示す説明図
【図８】従来の超音波診断装置の構成を示すブロック図
【符号の説明】
１０１  超音波探触子
１０２  送信部
１０３  受信部
１０４  再生部
１０５  表示部
１０６  制御部
１０７  操作部
１０８  演算部
１０９  記録部
１１０  時刻カウンタ
１１１  計算式記録部
１１２  計測結果消去操作部
１１３  消去演算部
２００  管理画面
２０１  消去時刻
【図１】
0003665530.tif 000002
【図２】
0003665530.tif 000003
【図３】
0003665530.tif 000004
【図４】
0003665530.tif 000005
【図５】
0003665530.tif 000006
【図６】
0003665530.tif 000007
【図７】
0003665530.tif 000008
【図８】
0003665530.tif 000009